(57)【要約】本発明は、ダウンリンク・マルチキャスト・データを移動端末へ送信するために利用できるダウンリンク・マルチキャストサービスまたはブロードキャストサービス（ＤＭＢＳ）を提供する移動通信システムにおいて、アプリケーション・サーバからまたはアプリケーション・サーバを介して上記移動通信システム内の移動端末へマルチキャストサービスを提供するための方法に関係する。さらに、本発明は上記の方法に関与する移動端末とネットワーク・エンティティに関係する。双方向マルチキャストサービスをユーザに効率的に提供することを可能にするために、ユーザにダウンリンク・マルチキャスト・データを提供するためにＤＭＢＳが利用できる状況で、移動端末が、ダウンリンクのマルチキャスト・データ転送にポイント・ツー・ポイント接続が使用されることになるという通知を受信した場合に、ＤＭＢＳ用のリソースの代わりにマルチキャストサービス用に確立済みのリソースを通じてダウンリンク・マルチキャスト・データを転送するようにアプリケーション・サーバに要求することを本発明は提案する。これにより、ＤＭＢＳ用に追加のＲＡＮリソースを確立する無駄を回避できる。
2009531889.tif 000002
【特許請求の範囲】
【請求項１】
アプリケーション・サーバからまたはアプリケーション・サーバを介して移動通信システム内の少なくとも一つの移動端末へマルチキャストサービスを提供するための方法であり、前記移動通信システムは、マルチキャストサービスのダウンリンク・データを前記移動端末へ送信するために利用できるダウンリンク・マルチキャストサービスまたはブロードキャストサービスを提供し、前記方法は前記移動端末によって実行される下記のステップを有し、
マルチキャストサービスのデータを交換するための前記移動端末と前記移動通信システムの無線アクセス・ネットワークの間の個別接続を少なくとも含む、マルチキャストサービス用のシステム・リソースを確立するステップと、
前記ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかについての通知を前記無線アクセス・ネットワークから受信するステップと、
前記移動端末がポイント・ツー・ポイント接続が使用されることになると通知される場合、マルチキャストサービスのダウンリンク・データを前記移動端末へ提供するために、前記確立済みのシステム・リソースを利用するよう前記アプリケーション・サーバに要求するステップと、
を有する方法。
【請求項２】
前記移動端末がポイント・ツー・マルチポイント接続が使用されることになると通知される場合、ダウンリンク・マルチキャストサービスまたはブロードキャストサービスを利用して、無線アクセス・ネットワークからのポイント・ツー・マルチポイント接続を通じてマルチキャストサービスのダウンリンク・データを受信するステップをさらに有する、請求項１に記載の方法。
【請求項３】
前記ポイント・ツー・ポイント接続及び前記ポイント・ツー・マルチポイント接続は、無線インタフェース接続である、請求項１または請求項２に記載の方法。
【請求項４】
前記移動端末で受信される前記通知は、アクセス層プロトコルのメッセージである、請求項１または請求項２に記載の方法。
【請求項５】
前記アクセス層プロトコルは、無線リソース制御プロトコルである、請求項３に記載の方法。
【請求項６】
前記移動端末で受信される前記通知は、非アクセス層プロトコルのメッセージである、請求項１または請求項２に記載の方法。
【請求項７】
前記アプリケーション・サーバは、前記移動端末により送信される非アクセス層プロトコル・メッセージにより前記確立済みのシステム・リソースを利用するように要求される、請求項３から請求項５のいずれかに記載の方法。
【請求項８】
非アクセス層プロトコルとアクセス層プロトコル間でデータを交換するためのサービス・アクセス・ポイントを介して前記通知を受信するアクセス層プロトコル・エンティティによって、前記移動端末内で、前記非アクセス層プロトコル・メッセージの送信をトリガするステップをさらに有する、請求項５に記載の方法。
【請求項９】
アプリケーション・サーバからまたはアプリケーション・サーバを介して移動通信システム内の少なくとも一つの移動端末へマルチキャストサービスを提供するための方法であり、前記移動通信システムは、マルチキャストサービスのダウンリンク・データを前記移動端末へ送信するために利用できるダウンリンク・マルチキャストサービスまたはブロードキャストサービスを提供し、前記方法は、
マルチキャストサービスのデータを交換するための前記移動端末と前記移動通信システムの無線アクセス・ネットワークの間の個別接続を少なくとも含む、マルチキャストサービス用のシステム・リソースを確立するステップと、
前記ダウンリンク・マルチキャストサービスまたはブロードキャストサービスを利用してマルチキャストサービスのダウンリンク・データを前記移動端末へ提供するために、アクセス・サーバと前記移動通信システムの無線アクセス・ネットワークの間のダウンリンク配信経路上のシステム・リソースを確立するステップと、
前記無線アクセス・ネットワークのネットワーク・エンティティ内で、前記ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかを決定するステップと、
前記決定を前記移動端末に通知するステップと、
を有する方法。
【請求項１０】
ポイント・ツー・ポイント接続を使用することが決定された場合、前記ダウンリンク配信経路上の前記確立されたシステム・リソースのソフト非アクティブ化を実行するステップをさらに有する、請求項９に記載の方法。
【請求項１１】
前記ソフト非アクティブ化は、前記移動端末の要求に応じて前記アプリケーション・サーバによってトリガされる、請求項１０に記載の方法。
【請求項１２】
前記ダウンリンク配信経路上の各ネットワーク・エンティティ内の前記移動端末のマルチキャストサービス・コンテクストは、ダウンリンク・マルチキャストサービスのソフト非アクティブ化実行時にも維持される、請求項１０または請求項１１に記載の方法。
【請求項１３】
前記移動端末へマルチキャストサービスのダウンリンク・データを提供するために、前記個別接続を含むマルチキャストサービス用に前記確立されたシステム・リソースを利用する要求を前記アプリケーション・サーバにおいて受信するステップをさらに有する、請求項９から請求項１２のいずれかに記載の方法。
【請求項１４】
前記要求は、前記移動端末から、または前記無線アクセス・ネットワークのネットワーク・エンティティがポイント・ツー・ポイント接続を使用すると決定した場合、前記無線アクセス・ネットワークの前記ネットワーク・エンティティからアプリケーション・サーバによって受信される、請求項１３に記載の方法。
【請求項１５】
前記要求は、前記移動端末から前記アプリケーション・サーバによって受信された非アクセス層プロトコル・メッセージに含まれる、請求項１３に記載の方法。
【請求項１６】
前記ダウンリンク・マルチキャストサービスまたはブロードキャストサービスが、ポイント・ツー・ポイント接続またはポイント・ツー・マルチポイント接続のどちらを使用することになるかについての前記移動端末への通知は、前記無線アクセス・ネットワークの前記ネットワーク・エンティティによって送信されたアクセス層プロトコル・メッセージ内に含まれる、請求項９から請求項１５のいずれかに記載の方法。
【請求項１７】
アプリケーション・サーバからまたはアプリケーション・サーバを介してマルチキャストサービスを受信する、移動通信システム内の移動端末であり、前記移動通信システムは、マルチキャストサービスのダウンリンク・データを前記移動端末へ送信するために利用できるダウンリンク・マルチキャストサービスまたはブロードキャストサービスを提供し、前記移動端末は、
マルチキャストサービスのデータを交換するための前記移動端末と前記移動通信システムの無線アクセス・ネットワークの間の個別接続を少なくとも含む、マルチキャストサービス用のシステム・リソースを確立するための処理ユニットと、
前記ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかについての通知を前記無線アクセス・ネットワークから受信するための受信機と、
前記移動端末がポイント・ツー・ポイント接続が使用されることになると通知される場合、マルチキャストサービスのダウンリンク・データを前記移動端末へ提供するために、前記確立済みのシステム・リソースを利用するよう前記アプリケーション・サーバに要求するための送信機と、
を具備する移動端末。
【請求項１８】
請求項２から請求項８のうちのいずれかに記載の前記方法の前記各ステップを実行するように構成された手段をさらに具備する、請求項１７に記載の移動端末。 
【請求項１９】
移動通信システム内の少なくとも一つの移動端末へマルチキャストサービス・データを提供する、移動通信システムの無線アクセス・ネットワークのネットワーク・エンティティであり、前記移動通信システムは、マルチキャストサービスのダウンリンク・マルチキャストサービス・データを前記移動端末へ送信するために利用できるダウンリンク・マルチキャストサービスまたはブロードキャストサービスを提供し、前記ネットワーク・エンティティは、
マルチキャストサービスのデータを交換するための前記移動端末と前記移動通信システムの無線アクセス・ネットワークの間の個別接続を少なくとも含む、マルチキャストサービス用のシステム・リソースを確立するための通信ユニットと処理ユニットとを具備し、
前記通信ユニットと処理ユニットは、前記ダウンリンク・マルチキャストサービスまたはブロードキャストサービスを利用してマルチキャストサービスのダウンリンク・データを前記移動端末へ提供するために、アクセス・サーバと当該ネットワーク・ユニットの間のダウンリンク配信経路上のシステム・リソースを確立するように動作可能であり、
前記処理ユニットは、前記ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかを決定するように動作可能であり、
前記通信ユニットは、前記決定を前記移動端末に通知するように動作可能である、
ネットワーク・エンティティ。
【請求項２０】
請求項１７または請求項１８に記載の移動端末と請求項１９に記載の無線アクセス・ネットワークのネットワーク・エンティティとを含んでなる移動通信システム。
【請求項２１】
請求項９から請求項１６のうちのいずれかに記載の前記方法の前記各ステップを実行するように構成された、少なくとも一つのさらに他のネットワーク要素をさらに含んでなる、請求項２０に記載の移動通信システム。
【請求項２２】
移動端末のプロセッサにより実行時に、前記移動端末にアプリケーション・サーバからまたはアプリケーション・サーバを介してマルチキャストサービスを受信させる命令を記憶するコンピュータにより読出し可能な媒体であり、移動通信システムは、マルチキャストサービスのダウンリンク・データを前記移動端末へ送信するために利用できるダウンリンク・マルチキャストサービスまたはブロードキャストサービスを提供し、前記命令は、
マルチキャストサービスのデータを交換するための前記移動端末と前記移動通信システムの無線アクセス・ネットワークの間の個別接続を少なくとも含む、マルチキャストサービス用のシステム・リソースを確立し、
前記ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかについての通知を前記無線アクセス・ネットワークから受信し、
前記移動端末がポイント・ツー・ポイント接続が使用されることになると通知される場合、マルチキャストサービスのダウンリンク・データを前記移動端末へ提供するために、前記確立済みのシステム・リソースを利用するよう前記アプリケーション・サーバに要求することにより、
前記移動端末にマルチキャストサービスを受信させる、コンピュータにより読出し可能な媒体。
【請求項２３】
前記移動端末の前記プロセッサにより実行時に、前記移動端末に請求項１から請求項８のうちのいずれかに記載の前記方法の前記各ステップを実行することによりマルチキャストサービスを受信させる命令をさらに記憶する、請求項２２に記載のコンピュータにより読出し可能な媒体。
【請求項２４】
移動通信システムの無線アクセス・ネットワークのネットワーク要素により実行時に、前記ネットワーク要素に移動通信システム内の少なくとも一つの移動端末へマルチキャストサービスを提供させる命令を記憶するコンピュータにより読出し可能な媒体であり、前記移動通信システムは、マルチキャストサービスのダウンリンク・マルチキャストサービス・データを前記移動端末へ送信するために利用できるダウンリンク・マルチキャストサービスまたはブロードキャストサービスを提供し、前記命令は、
マルチキャストサービスのデータを交換するための前記移動端末と前記移動通信システムの無線アクセス・ネットワークの間の個別接続を少なくとも含む、マルチキャストサービス用のシステム・リソースを確立し、
前記ダウンリンク・マルチキャストサービスまたはブロードキャストサービスを利用してマルチキャストサービスのダウンリンク・データを前記移動端末へ提供するために、アクセス・サーバと前記移動通信システムの無線アクセス・ネットワークの間のダウンリンク配信経路上のシステム・リソースを確立し、
前記ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかを決定し、
前記決定を前記移動端末に通知することにより、
前記ネットワーク要素に前記マルチキャストサービスの提供を行なわせる、コンピュータにより読出し可能な媒体。
【発明の詳細な説明】
【技術分野】
【０００１】
本発明は、マルチキャストサービスのダウンリンク・データを移動端末へ送信するために利用できるダウンリンク・マルチキャストサービスまたはブロードキャストサービスを提供する移動通信システムにおいて、アプリケーション・サーバからまたはアプリケーション・サーバを介して上記移動通信システム内の少なくとも一つの移動端末へマルチキャストサービスを提供するための方法に関係する。さらに、本発明は上記の方法に関与する移動端末とネットワーク・エンティティに関係する。
【背景技術】
【０００２】
ユニバーサル移動通信システム（ＵＭＴＳ）等の移動通信システムは、固定、無線及び衛星ネットワークを介して音声とデータの両方のトラヒックを運ぶことができる。これらの通信システムは、ＩＰベースのリアルタイムの会話サービスまたはマルチメディアサービスを伝送するためのパケット・フレームワークを絶え間なく進展させることにより、発展させ提供している。例えば、ＩＰマルチメディア・サブシステム（ＩＭＳ）標準が、第３世代パートナーシップ・プロジェクト（３ＧＰＰ）によって仕様化されている（http://www.3gpp.orgから得られる非特許文献１―参照により本文書に援用される―を参照）。ＩＭＳは、高品位音声サービスやビデオ電話、メッセージング、会議及びプッシュといったサービス等のリアルタイムの移動及び固定のマルチメディア移動通信サービスを可能にし、強化するために特に設計されている。ＩＭＳは、標準のインターネット・プロトコル（ＩＰ）により運用され、パケット交換式及び回線交換式の両方の電話システムをサポートする。
【０００３】
無線ネットワークの個別のセル内の多数のユーザに同一データを提供することを時には含む、携帯電話によるプッシュ・ツー・トーク (ＰｏＣ: Push-to-talk over Cellular) サービスやビデオ会議サービス等のＩＭＳサービスには、一般に、サービスを受信するために多数のユーザが加入する。しかし、ＩＭＳ標準は、サービスを提供される各移動端末への個別無線ベアラ接続のための無線アクセス・ネットワーク（ＲＡＮ）中のシステム・リソースの予約を含む、ユーザの移動端末（ＭＴ）へのポイント・ツー・ポイント（ＰＴＰ）接続しかサポートしていない。
【０００４】
多数のユーザが同一サービスを受信する場合、サービス・データを多数のユーザに送信するためのポイント・ツー・マルチポイント（ＰＴＭ）能力をもつマルチキャスト可能なサービスを使用することが有利であり得る。ＵＭＴＳシステムにおいてＩＭＳサービスを提供する際には、無線セル内の多数のユーザの役に立つために、多数の個別無線ベアラの代わりに、無線アクセス・ネットワーク中のシステム・リソースを節約できる共有無線ベアラまたはブロードキャスト無線ベアラが利用される。
【０００５】
マルチキャスト可能なサービスとしては、例えば、３ＧＰＰによって同じく標準化されたマルチメディア・ブロードキャスト／マルチキャストサービス（ＭＢＭＳ）がある（http://www.3gpp.orgから得られる非特許文献２―参照により本文書に援用される―を参照）。ＭＢＭＳサービスは、無線ネットワークを通じて同一のダウンリンク・データを複数の受信者へ送信するためのダウンリンク・マルチキャストサービスまたはブロードキャストサービスの一例である。受信者は、通常、ＭＢＭＳサービス・データの受信用の一つの無線チャネル、すなわち共有無線ベアラを共有する。ＭＢＭＳサービスは、リアルタイム画像及び音声またはテキスト等のマルチメディア・データの送信をサポートする。したがって、ＭＢＭＳサービスはまた、ＩＭＳサービスのデータをユーザに提供するために利用され得る。おそらく異なるセルに点在する多数のユーザに同一データを送信するときに、個別のユーザの移動端末に対して、接続のタイプ、およびセル内でＰＴＰまたはＰＴＭのどちらを使用するかは、各セルに存在するユーザの数により決まり得る。
【０００６】
非特許文献３（参照により本文書に援用される、http://www.3gpp.orgにて得られる）に記載された、ダウンリンク・データ提供のためのＭＢＭＳサービス・フレームワークを利用した上記のＩＭＳサービスのための例示的な設定手順を以下に手短に述べる。
【０００７】
先ず、無線アクセス・ネットワーク及びコア・ネットワークを介してサービス・プロバイダ（例えば、ＩＭＳアプリケーション・サーバ）へ、ＳＩＰプロトコル（セッション・イニシエーション・プロトコル）のINVITEメッセージ―または同等の機能をもつその他のセッション確立用のメッセージ―を送信することにより、ユーザはＩＭＳサービスに加入する。ＵＭＴＳネットワーク中のサービスを受信することをユーザに許可した後、サービス・プロバイダは移動通信システム中のシステム・リソースの予約を開始する。この予約は、ゲートウェイＧＰＲＳサポート・ノード（ＧＧＳＮ）、サービスＧＰＲＳサポート・ノード（ＳＧＳＮ）及びユーザ装置（ＵＥ）のために動作する無線ネットワーク・コントローラ（ＲＮＣ）の間にトンネルを設定することを通常含む。ＵＲＡＮ中のＲＮＣは、通常、無線送信リソースを制御している。
【０００８】
さらに、シグナリングとＵＥからサービス・プロバイダへのアップリンク接続のためにＲＮＣとＵＥの間に無線ベアラが確立される。通信には、ＳＩＰ（セッション・イニシエーション・プロトコル）としての、セッション設定シグナリング、セッション設定及び制御用のプロトコル、または適当な機能を提供するその他のアプリケーション層シグナリング・プロトコルが使用できる。
【０００９】
ダウンリンク・データをユーザに提供するために、ＭＢＭＳサービス・フレームワークが利用される。ＭＢＭＳサービスの設定手順は、例えば、ＩＭＳサービス・プロバイダによって開始することができる。ＭＢＭＳ設定は、ダウンリンクＩＭＳデータの送信用のシステム・リソースの設定を含む。したがって、この設定は、各ネットワーク要素において設定されたコンテクスト（ＭＢＭＳベアラ・コンテクスト及びＭＢＭＳ ＵＥコンテクスト）によって記述された、ＧＧＳＮ、ＳＧＳＮ及びＲＮＣ間のトンネルの確立を一般に含んでなり、各無線セル内に存在するＩＭＳサービスを受信するユーザ数に依存するＲＮＡ内の共有または個別無線接続の設定をさらに含む。
【００１０】
上記のようにＭＢＭＳ上にＩＭＳを融合させたサービスの場合、システムはＩＭＳ用の無線ベアラ・サービスを設定し、さらにＭＢＭＳサービスの起動を実行する。この起動は、ＭＢＭＳサービス用のＧＴＰトンネルと無線アクセス・ベアラ・サービスの設定を含む。ＭＢＭＳを利用するＵＥへダウンリンク・サービス・データを提供するためにＰＴＰ送信を行なうとＲＮＣが決定する場合、システムはＰＴＰ ＭＢＭＳデータ用の個別無線ベアラ・サービスを設定する。しかし、ＵＥはすでに、同等のＱｏＳ要件をもつＩＭＳ用のアクティブな無線ベアラを有しており、ＭＢＭＳサービスが使用される場合は非アクティブになるダウンリンク・チャネル（ＩＭＳダウンリンク）をＵＥは有する。
【００１１】
要約すれば、ＵＥへＰＴＰ ＭＢＭＳ送信を行なうとＲＮＣが決定する場合、先行技術では同じＵＥに対して二つの異なるＰＴＰ無線ベアラ・サービスを、各パケット交換（ＰＳ）サービス（すなわち、ＩＭＳとＭＢＭＳ）ごとに一つずつ設定する必要があり、これらのサービス（無線ベアラ）はトランスポート・チャネルと物理チャネルへのマッピング（対応付け）を必要とする。このことは、ＵＥはアップリンク送信用の無線リンク・リソースにしか利用されないアクティブな無線ベアラ（ＩＭＳベアラ）をすでに有していることから、ＩＭＳ−ＭＢＭＳ融合シナリオにおいては、ＲＡＮリソース（例えば、直交化符号、拡散符号等）の浪費につながる。
【非特許文献１】3GPP TS 23.228, “IP Multimedia Subsystem (IMS); Stage 2 (Release 6)”, version 7.2.0
【非特許文献２】3GPP TS 23.246, “Multimedia Broadcast/Multicast Service (MBMS), Architecture and functional description (Release 6)”, version 6.9.0
【非特許文献３】3GPP TSG-SA WG2 #48, S2-052305, Sophia Antipolis, France 5th - 9th September 2005, “Enable IMS service with multicast capability”
【非特許文献４】J. Cheng Cheng, T.Zhang, "IP-Based Next-Generation Wireless Networks: Systems, Architectures, and Protocols", Wiley-Interscience, 2004, chapter 2.1 and chapter 4.3
【発明の開示】
【００１２】
本発明の目的は、マルチキャストサービスのダウンリンク・サービス・データをユーザに提供するためにダウンリンク・マルチキャストサービスまたはブロードキャストサービスを使用できる、移動通信システムにおいて、ユーザに方向性のマルチキャストサービスの効率的な提供を可能にすることである。
【００１３】
この目的は、独立請求項の主題によって解決される。本発明の有利な実施形態は、従属請求項の主題である。
【００１４】
本発明の一つの主要な態様は、マルチキャストサービスを受信する移動端末と無線アクセス・ネットワークの間の追加の無線インタフェース・リソースの設定を回避することである。マルチキャストサービスをユーザに提供するとき、マルチキャストサービスのデータを交換するための移動端末と移動通信システムの無線アクセス・ネットワークの間の個別接続を少なくとも含む、マルチキャストサービス用のシステム・リソースが、通常、最初に確立される。上記移動通信システムは、マルチキャストサービスのダウンリンク・データを移動端末へ送信するために利用できるダウンリンク・マルチキャストサービスまたはブロードキャストサービス―例えば、本発明をＵＭＴＳシステムにおいて実施する場合はＭＢＭＳ―を提供することが仮定される。発明の概念は、マルチキャストサービスを受信する移動端末へ上記データを配信するためにポイント・ツー・ポイント接続が使用されることになる場合に、ダウンリンク・マルチキャストサービスまたはブロードキャストサービスを通じてダウンリンク・マルチキャストサービス・データを提供するための追加の無線インタフェース・リソースの確立／予約の無駄をなくすことにある。
【００１５】
本発明の第１の実施形態は、アプリケーション・サーバからまたはアプリケーション・サーバを介して移動通信システム内の少なくとも一つの移動端末へマルチキャストサービスを提供するための方法に関係する。上記移動通信システム内では、マルチキャストサービスのダウンリンク・データを移動端末へ送信するために利用できるダウンリンク・マルチキャストサービスまたはブロードキャストサービスが提供される。この実施形態によれば、マルチキャストサービス用のシステム・リソースが確立される。これらのリソースは、マルチキャストサービスのデータを交換するための移動端末と移動通信システムの無線アクセス・ネットワークとの間の個別接続を少なくとも含む。
【００１６】
移動端末は、ダウンリンク・マルチキャストサービスまたはブロードキャストサービスが、マルチキャストサービスのダウンリンク・データを移動端末へ提供するためにポイント・ツー・ポイント接続またはポイント・ツー・マルチポイント接続のどちらを使用することになるかについての通知を無線アクセス・ネットワークから受信できる。移動端末がポイント・ツー・ポイント接続が使用されることになると通知される場合、移動端末は、マルチキャストサービスのダウンリンク・データを移動端末へ提供するために前記確立済みのシステム・リソースを利用するよう前記アプリケーション・サーバに要求する。
【００１７】
本発明のさらに別の実施形態では、移動端末がポイント・ツー・マルチポイント接続が使用されることになると通知される場合、移動端末は、ダウンリンク・マルチキャストサービスまたはブロードキャストサービスを利用して、無線アクセス・ネットワークからのポイント・ツー・マルチポイント接続を通じてマルチキャストサービスのダウンリンク・データを受信できる。
【００１８】
本発明の別の例示的な実施形態では、ポイント・ツー・ポイント接続及びポイント・ツー・マルチポイント接続は、無線インタフェース接続である。
【００１９】
さらに、本発明の別の実施形態では、移動端末で受信される上記通知は、アクセス層プロトコルのメッセージである。アクセス層プロトコルは、例えば、無線リソース制御プロトコルであり得る。
【００２０】
代替的な実施形態では、移動端末で受信される上記通知は、非アクセス層プロトコルのメッセージである。
【００２１】
さらに、別の実施形態は、アプリケーション・サーバは、移動端末により送信される非アクセス層プロトコル・メッセージにより確立済みのシステム・リソースを利用するように要求されることを予見する。
【００２２】
本発明のさらに別の実施形態では、非アクセス層プロトコル・メッセージの送信は、非アクセス層プロトコルとアクセス層プロトコル間でデータを交換するためのサービス・アクセス・ポイントを介して上記通知を受信するアクセス層プロトコル・エンティティによって、移動端末内でトリガされる。
【００２３】
本発明の別の実施形態は、移動通信システムの無線アクセス・ネットワーク内で、及びその他のコア・ネットワーク要素またはマルチキャストサービスに関与するネットワーク要素内で実行される動作に関係する。
【００２４】
この実施形態は、アプリケーション・サーバからまたはアプリケーション・サーバを介して移動通信システム内の少なくとも一つの移動端末へマルチキャストサービスを提供するための方法を提案する。この実施形態でも、移動通信システムは、マルチキャストサービスのダウンリンク・データを移動端末へ送信するために利用できるダウンリンク・マルチキャストサービスまたはブロードキャストサービスを提供する。最初に、マルチキャストサービスのデータを交換するための移動端末と移動通信システムの無線アクセス・ネットワークの間の個別接続を少なくとも含む、マルチキャストサービス用のシステム・リソースが確立され得る。
【００２５】
さらに、ダウンリンク・マルチキャストサービスまたはブロードキャストサービスを利用してマルチキャストサービスのダウンリンク・データを移動端末へ提供するために、アクセス・サーバと移動通信システムの無線アクセス・ネットワークの間のダウンリンク配信経路上のシステム・リソースが確立される。無線アクセス・ネットワークのネットワーク・エンティティが、ダウンリンク・マルチキャストサービスまたはブロードキャストサービスが、マルチキャストサービスのダウンリンク・データを前記移動端末へ提供するためにポイント・ツー・ポイント接続またはポイント・ツー・マルチポイント接続のどちらを使用することになるかをさらに決定でき、この決定を移動端末に通知できる。
【００２６】
本発明のさらに別の実施形態では、アプリケーション・サーバは、マルチキャストサービスのダウンリンク・データを移動端末へ提供するために、個別接続を含むマルチキャストサービス用に確立済みのシステム・リソースを使用する要求を受信し得る。
【００２７】
この実施形態の例示的な変形では、上記要求は、移動端末から、または無線アクセス・ネットワークのネットワーク・エンティティがポイント・ツー・ポイント接続を使用すると決定した場合、無線アクセス・ネットワークの上記ネットワーク・エンティティからアプリケーション・サーバによって受信される。この実施形態の別の例示的な変形では、上記要求は、移動端末からアプリケーション・サーバによって受信された非アクセス層プロトコル・メッセージに含まれる。
【００２８】
本発明の別の実施形態は、ポイント・ツー・ポイント接続を使用することが決定された場合、ダウンリンク配信経路上の確立されたシステム・リソースのソフト非アクティブ化を実行することを予見する。このソフト非アクティブ化は、例えば、移動端末の要求に応じてアプリケーション・サーバによってトリガされ得る。ソフト非アクティブ化中も、ダウンリンク配信経路上の各ネットワーク・エンティティ内の移動端末のマルチキャストサービス・コンテクストは維持される。
【００２９】
本発明のさらに別の実施形態では、ダウンリンク・マルチキャストサービスまたはブロードキャストサービスが、ポイント・ツー・ポイント接続またはポイント・ツー・マルチポイント接続のどちらを使用することになるかについての移動端末への通知は、無線アクセス・ネットワークの前記ネットワーク・エンティティによって送信されたアクセス層プロトコル・メッセージ内に含まれる。
【００３０】
本発明の別の実施形態は、アプリケーション・サーバからまたはアプリケーション・サーバを介してマルチキャストサービスを受信する、移動通信システム内の移動端末を提供する。移動通信システムは、マルチキャストサービスのダウンリンク・データを移動端末へ送信するために利用できるダウンリンク・マルチキャストサービスまたはブロードキャストサービスを提供する。
【００３１】
移動端末は、マルチキャストサービスのデータを交換するための移動端末と移動通信システムの無線アクセス・ネットワークの間の個別接続を少なくとも含む、マルチキャストサービス用のシステム・リソースを確立するための処理ユニットを具備する。さらに、移動端末は、ダウンリンク・マルチキャストサービスまたはブロードキャストサービスが、マルチキャストサービスのダウンリンク・データを移動端末へ提供するためにポイント・ツー・ポイント接続またはポイント・ツー・マルチポイント接続のどちらを使用することになるかについての通知を無線アクセス・ネットワークから受信するための受信機と、移動端末がポイント・ツー・ポイント接続が使用されることになると通知される場合、マルチキャストサービスのダウンリンク・データを移動端末へ提供するために、確立済みのシステム・リソースを利用するようアプリケーション・サーバに要求するための送信機を具備する。
【００３２】
さらに別の実施形態では、移動端末は、アプリケーション・サーバからまたはアプリケーション・サーバを介して移動通信システム内の少なくとも一つの移動端末へマルチキャストサービスを提供するための上記方法の各ステップを実行するように構成された追加の手段を具備する。 
【００３３】
本発明の別の実施形態は、移動通信システム内の少なくとも一つの移動端末へマルチキャストサービス・データを提供する、移動通信システムの無線アクセス・ネットワークのネットワーク・エンティティに関係する。この実施形態でも、移動通信システムは、マルチキャストサービスのダウンリンク・マルチキャストサービス・データを移動端末へ送信するために利用できるダウンリンク・マルチキャストサービスまたはブロードキャストサービスを提供する。
【００３４】
上記ネットワーク・エンティティは、マルチキャストサービスのデータを交換するための移動端末と移動通信システムの無線アクセス・ネットワークの間の個別接続を少なくとも含む、マルチキャストサービス用のシステム・リソースを確立するための通信ユニットと処理ユニットを具備する。さらに、上記通信ユニットと処理ユニットは、ダウンリンク・マルチキャストサービスまたはブロードキャストサービスを利用してマルチキャストサービスのダウンリンク・データを移動端末へ提供するために、アクセス・サーバと当該ネットワーク・エンティティの間のダウンリンク配信経路上のシステム・リソースを確立するように動作可能である。
【００３５】
さらに、上記処理ユニットは、ダウンリンク・マルチキャストサービスまたはブロードキャストサービスが、マルチキャストサービスのダウンリンク・データを移動端末へ提供するためにポイント・ツー・ポイント接続またはポイント・ツー・マルチポイント接続のどちらを使用することになるかを決定するように動作可能である。上記通信ユニットは、上記決定を移動端末に通知するように動作可能である。
【００３６】
本発明のさらに別の実施形態は、本発明の上記実施形態の一つによる移動端末と本発明の上記実施形態の一つによる無線アクセス・ネットワークのネットワーク・エンティティを含んでなる移動通信システムに関係する。
【００３７】
本発明の別の実施形態による上記移動通信システムは、本文書に記述した発明の様々な実施形態の一つによる、アプリケーション・サーバからまたはアプリケーション・サーバを介して少なくとも一つの移動端末へマルチキャストサービスを提供するための上記方法の各ステップを実行するように構成された少なくとも一つのさらに他のネットワーク要素をさらに含んでなる。
【００３８】
さらに、本発明の別の実施形態は、移動端末のプロセッサにより実行時に、マルチキャストサービスのデータを交換するための移動端末と移動通信システムの無線アクセス・ネットワークの間の個別接続を少なくとも含む、マルチキャストサービス用のシステム・リソースを確立し、ダウンリンク・マルチキャストサービスまたはブロードキャストサービスが、マルチキャストサービスのダウンリンク・データを移動端末へ提供するためにポイント・ツー・ポイント接続またはポイント・ツー・マルチポイント接続のどちらを使用することになるかについての通知を無線アクセス・ネットワークから受信し、移動端末がポイント・ツー・ポイント接続が使用されることになると通知される場合、マルチキャストサービスのダウンリンク・データを移動端末へ提供するために、確立済みのシステム・リソースを利用するようアプリケーション・サーバに要求することにより、上記移動端末にアプリケーション・サーバからまたはアプリケーション・サーバを介してマルチキャストサービスを受信させる命令を記憶するコンピュータにより読出し可能な媒体を提供する。
【００３９】
本発明の別の実施形態によるコンピュータにより読出し可能な媒体は、移動端末のプロセッサにより実行時に、本文書に記述した発明の様々な実施形態の一つによる、アプリケーション・サーバからまたはアプリケーション・サーバを介して少なくとも一つの移動端末へマルチキャストサービスを提供するための上記方法の各ステップを実行することにより、上記移動端末にマルチキャストサービスを受信させる命令をさらに記憶する。
【００４０】
本発明のさらに別の実施形態におけるコンピュータにより読出し可能な媒体は、移動通信システムの無線アクセス・ネットワークのネットワーク要素により実行時に、マルチキャストサービスのデータを交換するための移動端末と移動通信システムの無線アクセス・ネットワークの間の個別接続を少なくとも含む、マルチキャストサービス用のシステム・リソースを確立し、ダウンリンク・マルチキャストサービスまたはブロードキャストサービスを利用してマルチキャストサービスのダウンリンク・データを移動端末へ提供するために、アクセス・サーバと移動通信システムの無線アクセス・ネットワークの間のダウンリンク配信経路上のシステム・リソースを確立し、ダウンリンク・マルチキャストサービスまたはブロードキャストサービスが、マルチキャストサービスのダウンリンク・データを移動端末へ提供するためにポイント・ツー・ポイント接続またはポイント・ツー・マルチポイント接続のどちらを使用することになるかを決定し、上記決定を移動端末に通知することにより、上記ネットワーク要素に移動通信システム内の少なくとも一つの移動端末へマルチキャストサービスを提供させる命令を記憶する。
【００４１】
本発明の別の実施形態によるこのコンピュータにより読出し可能な媒体は、移動端末のプロセッサにより実行時に、本文書に記述した発明の様々な実施形態の一つによる、アプリケーション・サーバからまたはアプリケーション・サーバを介して少なくとも一つの移動端末へマルチキャストサービスを提供するための上記方法の各ステップを実行することにより、上記移動端末にマルチキャストサービスを受信させる命令をさらに記憶する。
【発明を実施するための最良の形態】
【００４２】
以下に、添付の図及び図面を参照して本発明をさらに詳細に説明する。図中の類似のまたは同等の細部は、同一の参照番号を付けてある。
【００４３】
以下のパラグラフでは、本発明の様々な実施形態を説明する。典型的な例を示すという目的でのみ、実施形態の大部分は、ＵＭＴＳ通信システムに関連して概説される。また、以下の節で使用される専門用語は、主にＵＭＴＳの用語に関係する。しかし、ＵＭＴＳアーキテクチャに関連した用語と実施形態の説明は、本発明の原理と概念を上記システムに限定するという意味合いはない。
【００４４】
また、前述の背景技術の節で述べた詳細な説明は、以下に説明する主にＵＭＴＳに特有の典型的な実施例をよりよく理解してもらうためのものにすぎず、移動通信ネットワークにおけるプロセス及び機能のここで述べた特定の実現に本発明を限定するものと理解すべきではない。
【００４５】
本発明のよりよい理解のために、以下の用語を定義する。ネットワーク要素は、個々に少なくとも一つのコア・ネットワーク・エンティティまたは少なくとも一つの無線アクセス・ネットワーク・エンティティよりなるコア・ネットワークまたは無線アクセス・ネットワークの物理的要素として定義できる。コア・ネットワーク・エンティティは、移動通信システム中のコア・ネットワークの機能的エンティティとして定義できる。一般に、この機能エンティティは、サービス・プロバイダからのサービス・データの入口ポイントとしての役目を果たし、サービス・データを移動通信システム中のさらに他のエンティティへ転送する。例えば、ＵＭＴＳ実現では、ネットワーク・エンティティはゲートウェイＧＰＲＳサポート・ノード（ＧＧＳＮ）またはサービスＧＰＲＳサポート・ノード（ＳＧＳＮ）であり得る。さらに、その他の実現によれば、ネットワーク・エンティティはゲートウェイであり得る。
【００４６】
さらに、無線アクセス・ネットワーク・エンティティは、移動通信システム中の無線アクセス・ネットワークの機能的エンティティとして定義できる。このエンティティは、例えば、無線アクセス・ネットワーク中の無線リソースを制御し得る。通常、ＵＭＴＳ実現では、無線リソースを制御する無線アクセス・ネットワーク・エンティティは、無線ネットワーク・コントローラ（ＲＮＣ）またはノードＢ、すなわち、その制御下の移動端末への無線ベアラの設定を行なう役目を通常担うネットワーク要素であり得る。
【００４７】
すでに上述したように、本発明の主要概念の一つは、移動端末と無線アクセス・ネットワークの間の接続としてポイント・ツー・ポイント接続が使用されることになる場合に、ダウンリンク・マルチキャストサービスまたはブロードキャストサービスを通じてダウンリンク・マルチキャストサービス・データを移動端末に提供するための追加の無線インタフェース・リソースの確立／予約を避けることである。これにより、ポイント・ツー・ポイント接続を含むシステム・リソースは、マルチキャストサービスに関係したデータを交換するために確立済みであるものと仮定される。
【００４８】
移動通信システム中のシステムリソースの設定または確立は、通常、無線アクセス・ネットワークと移動端末の間のシステム・リソースの設定または確立と、無線アクセス・ネットワークとアプリケーション・サーバなどのサービス・プロバイダからのサービス・データの入口ポイントとしての役目をするコア・ネットワーク・エンティティの間のシステム・リソースの設定または確立の二つの部分に分けることができる。
【００４９】
無線アクセス・ネットワーク中では、これは、無線ベアラの設定とこの無線ベアラに対する無線アクセス・ネットワーク・リソースの予約を含んでなる。
【００５０】
無線アクセス・ネットワークとサービス・プロバイダからのサービス・データの入口ポイントとして機能するコア・ネットワーク・エンティティの間のシステム・リソースの確立または設定は、コア・ネットワークのネットワーク・エンティティとコア・ネットワークから無線アクセス・ネットワークへのサービス・データの入口ポイントである無線アクセス・ネットワークのネットワーク・エンティティとの間の接続を含み得る。通常、これは、サービス・データ配信経路上の個々のネットワーク・エンティティにおいてサービスに関係したコンテクストを設定することによってなされる。通常のＵＭＴＳ実現では、コア・ネットワーク中の設定されたシステム・リソースは、ＳＧＳＮとＧＧＳＮ間のトンネル並びにＳＧＳＮとＲＮＣ間のトンネルを含んでなり得る。コア・ネットワーク内のトンネルの設定中に、システム・リソースはその特定のトンネルに明示的に予約されてもよいし、予約されなくてもよい。
【００５１】
一つの例示的な実施形態によれば、システム・リソースの利用は、無線アクセス・ネットワークへのポイント・ツー・ポイント接続またはポイント・ツー・マルチポイント接続のどちらをダウンリンク・サービス・データ用に使用することになるかを移動端末に通知し、マルチキャストサービスのダウンリンク・データを移動端末へ提供するためにポイント・ツー・ポイント接続を含む初期に確立されたリソースを利用するように移動端末がアプリケーション・サーバをトリガすることにより最適化される。その結果、ダウンリンク・マルチキャストサービス及びブロードキャストサービスを通じてダウンリンク・データを提供するために、追加のシステム・リソースを移動端末に割り当てなくてもすむ。
【００５２】
本発明のいくつかの実施形態は、前述の背景技術の節で述べたＵＭＴＳの拡張ＵＭＴＳ環境において上記の概念を実現することに関係する。この実施形態では、マルチキャストサービスは、ダウンリンク・マルチキャストサービスまたはブロードキャストサービスとして、ＭＢＭＳサービスを使用するＵＭＴＳネットワークを通じて提供され得るＩＭＳサービス（例えば、ＰｏＣ、ビデオまたはオーディオ・ストリームーミング等）であり得る。この環境において、上述した概念は、ＵＥがＩＭＳ−ＭＢＭＳセッション・データ用の配信媒体を選択できるように明確化され得る。
【００５３】
この例示的な実施形態によれば、無線インタフェース・リソースを制御するＵＴＲＡＮ中のネットワーク・エンティティによって送信される通知によって、ダウンリンクＩＭＳ−ＭＢＭＳセッション・データを配信するために、ＭＢＭＳサービスにより使用されることになる無線ベアラ／接続のタイプを指示する。例えば、これは、ＲＮＣからＵＥへ送信される無線リソース制御（ＲＲＣ）プロトコル・メッセージ中に上記の通知を含めることによって行なうことができる。
【００５４】
ＲＮＣがＭＢＭＳサービス用のポイント・ツー・ポイント無線ベアラを獲得するようにＵＥに通知する場合には、ＵＥは配信媒体としてＩＭＳベアラ／接続を選択する。この場合、第二の個別の ＭＢＭＳベアラ／接続を確立せずに、個別のＩＭＳベアラ／接続を通じてサービスのダウンリンク・データを送信するように、ＵＥはＩＭＳ−ＡＳ（ＩＭＳアプリケーション・サーバ）へ要求メッセージを送信する。
【００５５】
本発明の別の態様は、例えば、ダウンリンク・データ配信方式をポイント・ツー・ポイントからポイント・ツー・マルチポイントへ切り替える決定がその後（すなわち、現在進行中のサービス中に）なされる場合に、ダウンリンク・サービス・データ配信用の移動端末へのダウンリンク・マルチキャストサービスまたはブロードキャストサービスの迅速な設定を可能にすることである。
【００５６】
この課題は、例えば、特定の移動端末または端末のあるグループへのダウンリンク・マルチキャストサービスまたはブロードキャストサービスのソフト非アクティブ化によって解決され得る。ダウンリンク・マルチキャストサービスまたはブロードキャストサービス用に確立されたシステム・リソースのソフト非アクティブ化は、特定の移動端末また端末のあるグループへのダウンリンク・マルチキャストサービスまたはブロードキャストサービスのシステム・リソースをソフトな非アクティブ状態にすることを意味する。 
【００５７】
例えば、ダウンリンク・マルチキャストサービスまたはブロードキャストサービスのシステム・リソースを通じてダウンリンク・マルチキャスト・データを受信する移動端末がまだいくつも無線セル内に存在しているとして、セル内のこれらの移動端末のうちのいくつかはマルチキャストサービスのポイント・ツー・ポイント接続を利用するとしても、ダウンリンク・マルチキャストサービスまたはブロードキャストサービスのシステム・リソースの全部ではなく一部を非アクティブ状態にできる。
【００５８】
基本的に、ダウンリンク・マルチキャストサービスまたはブロードキャストサービスのソフト非アクティブ化は、ダウンリンク・マルチキャストサービスまたはブロードキャストサービスの状態を表現するために使用される状態機械における新たな状態とみなすことができる。
【００５９】
一つの例示的な実施形態によれば、ダウンリンク・マルチキャストサービスまたはブロードキャストサービスを利用してマルチキャストサービスのダウンリンク・データを移動端末へ提供するための、アクセス・サーバと移動通信システムの無線アクセス・ネットワークの間のダウンリンク配信経路上のシステム・リソースは、ある移動端末または端末のあるグループに対して初期に設定される。
【００６０】
一方において、無線アクセス・ネットワークがダウンリンク・データを移動端末へダウンリンク・マルチキャストサービスまたはブロードキャストサービスを介して配信するためにポイント・ツー・マルチポイント接続を使用すると決定する場合、このサービス開始手順は、ポイント・ツー・マルチポイント接続のための無線インタフェース・リソースが、移動端末へのダウンリンク・マルチキャストサービスまたはブロードキャストサービスを通じたダウンリンク・マルチキャストサービスのデータ配信用に予約／設定されると「終了」する。
【００６１】
他方、ポイント・ツー・ポイント接続によりダウンリンク・マルチキャストサービス及びブロードキャストサービスを通じて移動端末へダウンリンク・データを配信する場合、無線アクセス・ネットワーク上の及び無線アクセス・ネットワークと移動端末間のシステム・リソースの確立は行なわれない、すなわち、ポイント・ツー・ポイント接続のための無線インタフェース・リソースを予約／設定する必要はない。しかし、アクセス・サーバと移動通信システムの無線アクセス・ネットワークの間のダウンリンク配信経路上に確立されたシステム・リソースは、後の時点でのダウンリンク・マルチキャストサービスまたはブロードキャストサービスの迅速設定を可能にするために解除されなくてもよい。
【００６２】
この実施形態の例示的な変形において、アクセス・サーバと移動通信システムの無線アクセス・ネットワークの間のダウンリンク配信経路上のシステム・リソースの確立／予約は、配信経路上の各ネットワーク・エンティティ内で移動端末のマルチキャストサービス・コンテクストを設定することによって実現される。サービスがソフト非アクティブ化される場合、単純にコンテクストを再アクティブ化することによりダウンリンク・マルチキャストサービス及びブロードキャストサービスを後で再始動できるように、各ネットワーク・エンティティにおいて設定されたコンテクストは維持され、例えば、スタンバイ状態に設定され得る。コンテクストは、サービス・データの送信に使用されることになるシステム・リソースを定義する目的で、通信システムの各ネットワーク・エンティティにおいて設定される一組の情報セットとして定義することができる。
【００６３】
ＵＭＴＳ環境での本発明の概念の実現に関係した例示的な実施形態に戻り、ソフト非アクティブ化は、ＭＢＭＳサービスにかかわる各エンティティにおいて移動端末（ここではＵＥ）のＭＢＭＳ ＵＥコンテクストをスタンバイ状態にすることによって実現することができる。
【００６４】
本発明の例示的な実施形態による、ＭＢＭＳ ＵＥコンテクストの例示的な状態機械を図８に示す。標準的なＭＢＭＳによれば、ＭＢＭＳコンテクストは、アクティブ状態と非アクティブ状態の二つの状態をとり得る。
【００６５】
参照により本文書に援用される非特許文献２（version 6.9.0, chapter 8を参照）に記載されているように、通常、ＭＢＭＳマルチキャストサービス起動時にアクティブ状態になる。この手順は、例えば、ＧＧＳＮにおいてＩＧＭＰジョイン・メッセージの受信によりトリガされる。アクティブ状態から非アクティブ状態への遷移は、同じく非特許文献２に記載されているＭＢＭＳマルチキャストサービス停止手順の実行時に遷移する。アクティブ状態ではＭＢＭＳ ＵＥコンテクストはネットワーク・エンティティ内に設定されているが、非アクティブ状態ではＭＢＭＳ ＵＥコンテクストは存在しない／削除される。
【００６６】
本発明のこの実施形態によれば、スタンバイ状態という新たな状態が導入される。この状態で、各ＭＢＭＳサービスはＵＥへ配信されないが、ＭＢＭＢ ＵＥコンテクストはネットワーク・エンティティ内に維持される。ＭＢＭＳマルチキャストサービスのソフト非アクティブ化手順を実行時にこの状態になり得る。この手順において、ネットワーク・エンティティはＭＢＭＳ ＵＥコンテクストの状態をホールドにセットするように指令され、その結果、コンテクストは使用可能であるが、ダウンリンクＭＢＭＳデータの各ＵＥ宛ての送信が停止する。
【００６７】
ＭＢＭＳマルチキャストサービスの再アクティブ化時には、ＭＢＭＳ ＵＥコンテクストの状態はアクティブに戻る。つまり、ＭＢＭＳセッション開始手順が実行された、すなわち、ＭＢＭＳデータ送信が開始されたならば、ネットワーク・エンティティはＭＢＭＳダウンリンク・データを各ＵＥへ転送する。
【００６８】
次に、図４に関して、本発明の一つの例示的な実施形態を説明する。図４は、アプリケーション・サーバ、無線アクセス・ネットワーク（ＲＡＮ）及びアプリケーション・サーバからマルチキャストサービスを受信する移動端末により実行される動作を示す。最初のステップでは、移動通信ネットワーク中のマルチキャストサービス用のシステム・リソースが設定される。この手順は、移動端末と無線アクセス・ネットワークの間の個別接続の確立を含む（４０１）。この個別接続は、マルチキャストサービスの設定と制御に関係した制御シグナリング（制御プレーン・データと呼ぶこともある）の交換のために使用されることになるとともに、アップリンク・サービス・データを移動端末からアプリケーション・サーバへ送信するために使用され、その他のサービス参加者に同データは中継される。より詳細に以下に説明するように、マルチキャストサービス用に確立された個別接続は、ダウンリンクのマルチキャストサービス・データ用にも選択的に使用することができる。アップリンクとダウンリンクのマルチキャストサービス ・データは、マルチキャストサービスのユーザ・プレーン・データと呼ぶこともある。
【００６９】
マルチキャストサービスに依存して、場合に応じて、無線アクセス・ネットワークとアプリケーション・サーバを接続するネットワーク（コア・ネットワーク）中でマルチキャストサービス用のリソースを設定する必要があることもある（４０２）。この目的のために、アプリケーション・サーバと無線アクセス・ネットワーク間の制御プレーン・データとユーザ・プレーン・データの下流の配信経路にある異なるネットワーク・エンティティ間に、例えば、トンネルを設定できる。アプリケーション・サーバ は、コア・ネットワークに置かれても、または他の事業者のドメインに置かれてもよく、マルチキャストサービス を提供し、または中継する。
【００７０】
次に、移動端末（及び選択的に移動端末が存在する無線セル内の他のサービス参加者）へマルチキャストサービスのダウンリンク・データを提供するために、ダウンリンク・マルチキャストサービスまたはブロードキャストサービスが設定され得る。
【００７１】
一般に、マルチキャストサービスを提供するためのダウンリンク・マルチキャストサービスまたはブロードキャストサービス（ＤＭＢＳ）の使用は、参加者全員にマルチキャストサービスを提供するようにデフォルト設定（すなわち、マルチキャストサービスでは必須であるように）されてもよく、あるいはその使用は、例えば、マルチキャストサービスの特定のポリシー、ＱｏＳ要件、マルチキャストサービスへの参加ユーザ数等に基づいて、サービスごとに必要に応じて決定されてもよい。この決定は、例えば、移動通信システムのコア・ネットワーク中のアプリケーション・サーバまたは他のネットワーク要素によって行なうことができる。次の点を認識しておくことは重要である。コア・ネットワークのネットワーク・エンティティによってこの決定がなされるべきであるというのは、上記エンティティは、移動通信システム内でダウンリンク・マルチキャストサービスまたはブロードキャストサービスが利用可能か否の情報を通常もち、ダウンリンク・マルチキャストサービスまたはブロードキャストサービスの使用を決定するための適切な情報を得ることができるからである。
【００７２】
この例示的な実施形態において、ダウンリンク・マルチキャストサービスまたはブロードキャストサービスは、移動端末へマルチキャストサービスのダウンリンク・データを配信するために使用されることになる。したがって、次のステップは、アプリケーション・サーバと無線アクセス・ネットワークの間のダウンリンク配信経路上のネットワーク・エンティティにおいてシステム・リソースを確立することである（４０３）。例えば、このリソース確立手順は、（アプリケーション・サーバと無線リソースを制御する無線アクセス・ネットワーク・エンティティを含む）配信経路上のネットワーク・エンティティ間での、これらのエンティティの少なくとも一部においてコンテクストを設定するシグナリング手順により実現され得る。上記コンテクストは、ダウンリンク・マルチキャストサービス・データの送信に使用されることになるシステム・リソースを定義するための一組の情報セットを指定する。
【００７３】
無線アクセス・ネットワークは、次に、移動端末と無線アクセス・ネットワークの間でダウンリンク・マルチキャストサービスまたはブロードキャストサービスに使用されるべき配信方式を決定し、選択できる。一般に、二つの選択肢がある。第一に、ダウンリンク・マルチキャストサービスまたはブロードキャストサービスが移動端末へのポイント・ツー・ポイント接続を使用する可能性がある。このポイント・ツー・ポイント接続は、例えば、双方向通信を可能にする個別チャネルまたは個別無線ベアラであり得る。代替的に、例えば、共有または共通チャネルまたは無線ベアラであり得るポイント・ツー・マルチポイント接続が、ダウンリンク・マルチキャストサービスまたはブロードキャストサービスを通じて移動端末へマルチキャストサービスのダウンリンクのユーザ・プレーン・データを提供するために使用できる。
【００７４】
この配信方式を決定するネットワーク・エンティティは、例えば、無線アクセス・ネットワークのアーキテクチャに依存し得る。本発明の一つの例示的な実施形態によれば、この決定は、無線インタフェース・リソースを制御している無線アクセス・ネットワークのネットワーク・エンティティによってなされる。これは、例えば、標準的なＵＭＴＳネットワーク中のＲＮＣであり得る。ＲＮＣはその配下のノードＢが動作するセルの無線インタフェース・リソースを制御している。その他の進化したアーキテクチャでは、個々の基地局によって制御された各無線セルについて無線セル・ベースで選択が行なえるように、無線リソース制御機能は基地局に置かれる。本発明の代替的な実施形態では、無線アクセスによるダウンリンク・マルチキャストサービスまたはブロードキャストサービスの配信方式の決定は、この決定を行なうために利用できる十分な情報を有している、またはそのような情報を提供される、移動通信システム中のいずれかのネットワーク・エンティティによって行なうことができる。
【００７５】
無線ベアラは、無線リソースを制御する無線アクセス・ネットワーク中のエンティティと一つまたは複数のユーザ端末との間の論理的接続として定義することができる。さらに、無線ベアラは個別であり得る（個別無線ベアラまたは個別接続）。この場合、一つのユーザ端末に対してポイント・ツー・ポイント（ＰＴＰ）接続が確立される。代替的に、無線ベアラはポイント・ツー・マルチポイント（ＰＴＭ)接続であり得る（共有無線ベアラまたは共有接続）。この場合、無線ベアラは同一無線セル内の複数のユーザ端末によって共有され得る。
【００７６】
上記決定は、例えば、無線セル内でマルチキャストサービスを受信する参加者の数、各無線セル内の無線リソースの利用度（セル負荷、干渉レベル、リソースの可用度等）、ＱｏＳ要件、事業者によって確立されたポリシー等の少なくとも一つに基づくことができる。
【００７７】
ダウンリンク・マルチキャストサービスまたはブロードキャストサービスに使用すべきどちらかの配信方式を決定した後（４０４）、決定結果が移動端末へ提供される。これは、決定を含む通知を移動端末へ送信することによって行なわれる。
【００７８】
図４に示す例では、ただし、ダウンリンク・マルチキャストサービスまたはブロードキャストサービスを通じて移動端末へマルチキャストサービスのダウンリンクのユーザ・プレーン・データを提供するためにポイント・ツー・ポイント接続が選択されたと仮定される。したがって、移動端末へ送信された通知（４０５）は、この決定を移動端末に指示する。
【００７９】
通知に応じて、移動端末はサービス設定を実行する。ポイント・ツー・マルチポイント接続が使用されることになる場合、移動端末はダウンリンク・マルチキャストサービスまたはブロードキャストサービスを通じてダウンリンク・データを受信するために必要なＲＡＮパラメータを得ることになる。上記の通知でポイント・ツー・ポイント接続の使用が指示される場合、移動端末はアプリケーション・サーバに要求を送信する（４０６）。この要求は、マルチキャストサービス用にすでに確立されたシステム・リソース（ステップ４０１とステップ４０２を参照、これらが実行されたと仮定して）を移動端末へのダウンリンク・マルチキャストサービス・データの送信に使用するようアプリケーション・サーバに依頼する。したがって、ダウンリンク・マルチキャストサービスまたはブロードキャストサービスを使用したダウンリンク・サービス・データの送信にポイント・ツー・ポイント接続が使用される場合には、ダウンリンク・マルチキャストサービスまたはブロードキャストサービス用の無線アクセス・ネットワークと移動端末の間の追加のリソースの設定は回避され、マルチキャストサービス・データ用にすでに確立されたポイント・ツー・ポイント接続を含むシステム・リソースがダウンリンク・サービス・データの送信に使用される。
【００８０】
さらに他の選択肢として、アプリケーション・サーバが、ステップ４０３で設定されたシステムリソースを解除することになる、ダウンリンク・マルチキャストサービスまたはブロードキャストサービスの非アクティブ化をトリガすることもできる。
【００８１】
図５は、本発明の別の実施形態による、アプリケーション・サーバ、 無線アクセス・ネットワーク（ＲＡＮ）及びアプリケーション・サーバからマルチキャストサービスを受信する移動端末によって実行される進化した動作を示す。図５における動作は、基本的に図４に示したものと同じである。図５に示した実施形態では、アプリケーション・サーバへ送信した要求（４０６）は、前に説明したように確立済みのシステム・リソースをマルチキャストサービス・データ用に使用することをトリガするだけでなく、ネットワーク内のダウンリンク・マルチキャストサービスまたはブロードキャストサービスのソフト非アクティブ化をさらにトリガする。具体的には、ダウンリンク・マルチキャストサービスまたはブロードキャストサービス用にステップ４０３で設定されたシステム・リソースがソフト非アクティブ化される。前に概説したように、システム・リソースの予約は、アプリケーション・サーバと無線アクセス・ネットワークの間の下流の配信経路上のネットワーク・エンティティにおいて、移動端末のサービス・コンテクストを設定し得る。通常、これらのコンテクストはサービスが非アクティブ化（停止）されれば削除される。この実施形態では、ダウンリンク・マルチキャストサービスまたはブロードキャストサービス用のシステム・リソースは解除されずに、後で選択的に使用されるようにスタンバイとして印付けられる。ダウンリンク・マルチキャストサービスまたはブロードキャストサービスのダウンリンク配信経路に沿ったネットワーク・エンティティ（少なくとも一つの ）におけるコンテクストに関して、これは、例えば、次のことを意味し得る。コンテクストはホールド状態にあるものとして印付けられる、すなわち、ダウンリンク・マルチキャストサービスまたはブロードキャストサービスを利用するが、現在アクティブではないダウンリンク・マルチキャストサービスまたはブロードキャストサービスを利用する場合に、移動端末はスタンバイのシステム・リソースを必要とし、これらのシステム・リソースを割り当てられる。
【００８２】
例示的かつさらに詳細な実施形態によるシステム・リソースのソフト非アクティブ化を以下に説明することにする。この例示的な実施形態では、ダウンリンク・マルチキャストサービスまたはブロードキャストサービスとしてＭＢＭＳサービスを提供するＵＭＴＳネットワークにおいて前述の概念を実現することが仮定される。ステップ４０３におけるシステム・リソースの確立は、この場合、とりわけ、コア・ネットワークのノードとＲＮＣにおいてＭＢＭＳ ＵＥコンテクストを設定するＭＢＭＳマルチキャストサービス開始手順が実行されることを意味する。本発明のこの実施形態によるＭＢＭＳ ＵＥコンテクストは以下の内容を有することができる（コンテクスト中に存在するパラメータは、コンテクストを保持するネットワーク・エンティティに依存することに留意されたい）。
【００８３】
【表１】
2009531889.tif 000003
【００８４】
上記の表においてわかるように、「コンテクストの状態」という新しいパラメータが導入されている。コンテクストの状態がアクティブに設定されている場合、これは、ＵＥがＭＢＭＳデータを受信しようとしているので、ネットワーク・エンティティはＭＢＭＳデータを次の下流のエンティティへ転送することを意味する。コンテクストの状態が非アクティブに設定されている場合、ＭＢＭＳ ＵＥコンテクストは削除される、すなわち、 ＵＥへのＭＢＭＳサービスが停止されたことによりシステム・リソースは開放される。
【００８５】
スタンバイ状態では、コンテクストはソフト非アクティブ化された状態である。これは、ネットワーク・エンティティはコンテクスト情報を維持するが、ＩＰマルチキャスト・アドレスによって指定されたＭＢＭＳサービスを移動端末は現在受信していないことを意味する。したがって、ＩＰマルチキャスト・アドレスによって指定されたＭＢＭＳサービスについて少なくとも一つのアクティブ状態のＭＢＭＳ ＵＥコンテクストがある場合にのみ、ネットワーク・エンティティは、ＩＰマルチキャスト・アドレスによって指定されたＭＢＭＳサービスに関係したＭＢＭＳサービス・データを転送する。
【００８６】
次に、より具体的なＵＭＴＳベースの実現において前述の本発明の概念と態様を例示的に使用する実施形態を概説することにする。この例では、ＩＭＳサービスのダウンリンクのユーザ・プレーン・データをユーザに提供するためにＭＢＭＳサービスの使用を可能にする、すなわち、ＭＢＭＳ上のＩＭＳサービスの使用を可能にする拡張ＵＭＴＳネットワークを通じてＩＭＳマルチキャストサービスが参加者のあるグループに提供されるものとする。
【００８７】
サービス動作をより詳細に説明する前に、例示的な拡張ＵＭＴＳネットワークのアーキテクチャの概要を述べる。図１は、本発明の一実施形態による、無線アクセス・ネットワークの異なる無線セル内に何人かのユーザが存在する状態の拡張ＵＭＴＳネットワークを示す。当該ネットワークは、コア・ネットワーク１００と無線アクセス・ネットワーク１０５に分けることができる。コア・ネットワーク（ＣＮ）１００は、アプリケーション・サーバ１０１のゲートウェイとしてのＧＧＳＮ １０３及び一つ以上のＳＧＳＮ １０４を含んでなる。ＩＭＳアプリケーション・サーバ１０１は、ＩＰマルチメディア・サブシステム（ＩＭＳ）のアプリケーション・サーバとして実現され、ＭＢＭＳアーキテクチャのブロードキャスト・マルチキャスト−サービス ・センター（ＢＭ−ＳＣ）は、事業者のＩＰバックボーンの一部をなす。アプリケーション・サーバ１０１とＢＭ−ＳＣ １０２は、この例ではコア・ネットワーク・エンティティとみなされることに留意すべきである。
【００８８】
ＳＧＳＮ １０４は、いわゆる無線ネットワーク・サブシステムのために各々が動作する一つ以上の無線ネットワーク・コントローラ（ＲＮＣ）１０６にコア・ネットワークを接続する。ＲＮＣ １０６は、通常、ＲＮＣ １０６によって制御されるいくつかの基地局（ノードＢ）のそれぞれの無線セル内の各移動端末（ＵＥ）の無線インタフェース・リソースを管理する役目を担う。この目的のために、いわゆる無線リソース制御（ＲＲＣ）プロトコルが使用される。この例では、ＲＮＣ １０６は、一つ以上の無線セルを各々制御可能である３個のノードＢ １０７、１０８及び１０９を制御するものと仮定される。例えば、ノードＢ １０９は、ＵＥ １１４〜１１７に対して無線セル１１０内での無線接続性を提供する。ノードＢ １０８はＵＥ １１２と１１３のために動作し、ノードＢ １０７はＵＥ １１１のために動作する。
【００８９】
本発明は、図１について説明したアーキテクチャにおいて使用されることに限定されないことに留意すべきである。最近、例えば、コア・ネットワークがゲートウェイのみを含んでなり、無線アクセス・ネットワークが一つまたは複数の拡張ノードＢのみからなるようなアーキテクチャの進展がみられる。このようなアーキテクチャでは、ＲＮＣ機能はゲートウェイと拡張ノードＢに分散されている。けれども、本発明はこうした拡張されたその他のアーキテクチャにも同様に適用可能である。さらに、ＵＭＴＳネットワーク中の個々のエンティティ（ＵＥを除く）は、機能的なエンティティであることにも留意すべきである。これは、いくつかのエンティティを一つの物理的ネットワーク要素に一緒に配置可能であることを意味する。例えば、アプリケーション・サーバ１０１とＢＭ−ＳＣ １０２を一つの単独のネットワーク要素に配置可能である。
【００９０】
この実施形態では、ＵＥ １１１がネットワーク中のユーザ１１２〜１１７とのＩＭＳサービスを開始すると仮定される。ＩＭＳセッションを確立するためには、ＩＭＳ通話に参加することになるすべてのＵＥ １１１〜１１７が、 ＵＭＴＳネットワークへのＩＰ接続性を必要とする（すなわち、パケット交換サービスへのアクセスが必要になる）。
【００９１】
ＩＭＳのようなパケット交換サービス（ＰＳサービス）を受信可能になるためには、ＵＥは、通常、ＧＰＲＳアタッチ手順を最初に実行することができる。ＧＰＲＳアタッチ手順は、パケット交換コア・ネットワーク（ＰＳ ＣＮ）ドメインに（より正確には、そのサービングＳＧＳＮ １０４に）ＵＥを登録する。ＧＰＲＳアタッチ手順中に、ＵＥはその識別（例えば、ＩＭＳＩ）とサービス要件をＳＧＳＮ １０４へ提供することができ、ネットワークによって認証と許可を受ける。
【００９２】
ＳＧＳＮ １０４へのＵＥの登録に加えて、ＧＰＲＳアタッチが成功すると、ＲＡＮ １０５とＳＧＳＮ １０４がＵＥの位置を追跡できるように、ＵＥのモビリティ管理コンテクストをＲＡＮ １０５内（例えば、ＲＮＣ １０６上）とＳＧＳＮ １０４上に設定できる。
【００９３】
さらに、ＧＰＲＳアタッチは、ＵＥとＳＧＳＮ １０４の間のシグナリング接続を確立することもできる。ＵＥとＳＧＳＮ １０４は、ＧＰＲＳアタッチ手順を実行するために必要なシグナリングと制御メッセージを交換するために、このシグナリング接続を使用する。ＧＰＲＳアタッチが完了後、例えば、ＰＤＰコンテクストのアクティブ化を実行するために、ＵＥはＳＧＳＮとシグナリング・メッセージを交換するために、このシグナリング接続を使用し続けることができる。
【００９４】
ＧＰＲＳアタッチ手順だけでは、ＵＥへの無線アクセス・ベアラまたはＣＮベアラは確立されない。したがって、ＵＥがパケット交換コア・ネットワークを介してユーザ・パケットを送受信できるようになるには、ＧＰＲＳアタッチだけでは十分ではない。
【００９５】
ＩＭＳサービスのようなパケット交換サービスへのアクセスを得るには、ＰＤＰコンテクストのアクティブ化とＲＡＢ（無線アクセス・ベアラ）確立の手順が実行される。ＵＥがＧＰＲＳアタッチを首尾よく実行した後、ＵＥはそのＰＤＰアドレスに対するＰＤＰコンテクストを設定し、アクティブにするようにネットワークに要求できる。ＰＤＰコンテクストのアクティブ化が成功すると、ＵＥへユーザ・パケットを運び、ＵＥからのユーザ・パケットを運ぶＣＮベアラと無線アクセス・ベアラ（すなわち、Ｉｕベアラと無線ベアラ）を確立するようにＰＳ ＣＮドメインがトリガされる。ＰＤＰコンテクストのアクティブ化が成功した後は、移動機はＰＳ ＣＮドメインを介してユーザパケットを送受信可能になる。
【００９６】
次に、ＩＭＳサービスを受信するためには、ＵＥはＩＭＳにさらに登録する必要がある。ＵＥがＩＭＳにより提供されるＩＰベースのリアルタイム音声サービスまたはマルチメディアサービスを利用したいときは、ＵＥはＩＭＳへの登録を行なう必要がある。例えば、ＩＭＳに登録するユーザを登録するためにＳＩＰシグナリング・プロトコル（ＳＩＰ登録手順）を使用できる。
【００９７】
上記手順についての詳細は、参照により本文書に援用される非特許文献４を参照のこと。
【００９８】
この実施形態では、サービス参加者それぞれが、例えば、簡単に上述した手順を実行することによって、ＩＭＳサービスを開始またはＩＭＳサービスに参加するために必要なすべての手順を実行したと仮定される。本発明の例示的な実施形態によるＩＭＳサービス設定手順を、図６を参照しながら以下に概説する。
【００９９】
ＩＭＳマルチキャストサービスを開始するために、ＵＥ １１１はアプリケーション・サーバ（ＩＭＳ−ＡＳ）１０１にサービス開始要求を送信する（６０１）。この目的のために、例えば、ＳＩＰシグナリング・プロトコルが使用できる。セッションを開始するためには、通常、このプロトコル中のSIP INVITEが送信される。サービス開始要求は、サービスに参加するサービス参加者それぞれの識別を含む。これは、例えば、SIP INVITEメッセージに各ユーザのSIP URIを付加することにより行なえる。
【０１００】
ＩＭＳ−ＡＳは 、次に、サービス開始メッセージ中に指示されたサービスの各参加者（ここでは、例示目的で、各ＵＥ １１２〜１１７）へＩＭＳマルチキャストサービス・データをダウンリンク上で配信するためにＭＢＭＳサービスを使用する決定をする。ダウンリンクＩＭＳデータ用にＭＢＭＳを使用することは、例えば、必須であってもよいし、またはＩＭＳ−ＡＳによって必要に応じて選択されてもよい。さらに、ＭＢＭＳを使用する決定は、サービス参加者の情報に基づいて、無線セル単位または無線ネットワーク・サブシステム単位で選択的に行なえる。
【０１０１】
次のステップとして、ＩＭＳ−ＡＳは、ＭＢＭＳを通じたダウンリンクＩＭＳサービス・データを利用するサービス参加者（例えば、各ＵＥ １１４〜１１７）をＢＭ−ＳＣ １０２に登録する（６０２）。この登録に応答して、ＢＭ−ＳＣ １０２ は、ダウンリンクＩＭＳサービス・データを運ぶＭＢＭＳサービスに関係したマルチキャストサービス情報をＩＭＳ−ＡＰ １０１に提供する（６０３）。このマルチキャストサービス情報は、ダウンリンクＩＭＳサービス・データを運ぶＭＢＭＳサービスのＩＰマルチキャスト・アドレスを少なくとも含む。
【０１０２】
次に、ＩＭＳ−ＡＳはその他のサービス参加者をＩＭＳサービスへ勧誘する。ＳＩＰシグナリングを使用するときは、SIP INVITEが各ＵＥ １１２〜１１７へ送信される。ＵＥがダウンリンクＩＭＳサービス・データ配信用にＭＢＭＳを使用すべきである場合、サービスへの勧誘は、ダウンリンクＩＭＳサービス・データを運ぶＭＢＭＳサービスのＩＰマルチキャスト・アドレスを含むＭＢＭＢユーザ・サービス記述（ＭＢＭＳ ＵＳＤ）を含み得る。
【０１０３】
（ＭＢＭＳサービスを通じてダウンリンクＭＢＭＳサービス・データを受信すると想定される）ＵＥ １１４でのサービス勧誘の受信は、ＭＢＭＳマルチキャストサービス起動プロセスをトリガする（６０５）（ＵＥは、ＭＢＭＳ ＵＳＤから得たＭＢＭＳサービスのＩＰマルチキャスト・アドレスを付けたＩＧＭＰ  Ｊｏｉｎを送信する、ＵＥ １１４の許可、ＭＢＭＳコンテクストのアクティブ化等）。この手順は、各ネットワーク・エンティティにおいて、前述したサービスのためのＭＢＭＳ ＵＥコンテクストを設定することによって、コア・ネットワークの各エンティティとＲＮＣにおいてリソースを予約する。ＭＢＭＳマルチキャスト起動開始手順は、以下に説明するとおり、ＭＢＭＳサービスをソフト非アクティブ化できるようにＭＢＭＳ ＵＥコンテクストにコンテクストの状態パラメータを追加した以外は、非特許文献２（参照により本文書に援用される）に規定されたものと基本的に同じである。本発明のこの実施形態によるＭＢＭＳマルチキャストサービス開始手順中にＭＢＭＳ ＵＥコンテクストを設定するときは、コンテクストの状態は最初はアクティブに設定される。このステップ６０５において、例えば、非特許文献２（参照により本文書に援用される）に詳述されるような、標準的なＭＢＭＳマルチキャストサービス起動手順が実行されてもよい。
【０１０４】
その後、ネットワークは、ＭＢＭＳマルチキャストサービス開始手順の実行を続ける（６０６）。このステップ６０６において、この例示的な実施形態では以下に説明するように修正されるＲＡＮリソース予約を除いては、例えば3GPP TS 23.246, version 6.9.0, section 8.3（参照により本文書に援用される）に詳述されるような、標準的なＭＢＭＳマルチキャストサービス開始手順を基本的に実行してよい。
【０１０５】
ＭＢＭＳマルチキャストサービス開始手順の終了時に、ＵＥ １１４へのＲＡＮリソースがＲＮＣによって確立されることになる。この手順において、ＵＥ １１４のために動作するノードＢ １０９の無線インタフェース・リソースを制御するＲＮＣ １０６は、ＭＢＭＳを介して提供されるＩＭＳサービス・データをＵＥ １１４へ配信するために、ポイント・ツー・ポイント無線ベアラまたはポイント・ツー・マルチポイント無線ベアラのどちらが使用されるべきかを決定できる（６０７）。この決定は、例えば、セル内でＭＢＭＳを通じて同じＩＭＳサービス・データを受信することになるユーザの数、セル負荷、ＱｏＳ要件等に基づいて行なえる。
【０１０６】
ＭＢＭＳサービスを通じてＩＭＳサービス・データを各ＵＥ １１４〜１１７へ提供するために、無線セル１１０内のポイント・ツー・マルチポイント無線ベアラ（共有チャネル）を使用するとＲＮＣ １０６が決定した場合、ＲＮＣ １０６はこの決定をＵＥ １１４へ通知可能であり、ＵＥ １１４はＭＢＭＳサービスのポイント・ツー・マルチポイント接続を通じてＩＭＳサービス・データを受信することになる。ＭＢＭＳの選択された配信方式の情報は、例えば、決定をすべてのＵＥへ通知するために無線アクセス・ネットワークによって定期的に送信することができる。
【０１０７】
この情報は、ＵＴＲＡＮからＵＥへのマルチキャスト制御チャネル（ＭＣＣＨまたはＤＣＣＨ）上で送信される、ＭＢＭＳ修正サービス情報と呼ばれるＲＲＣメッセージによりＵＥ １１４へ提供することができる。このＲＲＣは、「ＰＴＭ ＲＢを獲得せよ」 （ポイント・ツー・マルチポイント無線ベアラを獲得せよ）に設定された「ＭＢＭＳが要求したＵＥ動作」の情報要素を含む。このＲＲＣメッセージを受信後、ＵＥ １１４は無線ベアラの特性（例えば、トランスポート・チャネル及び／または物理チャネルのパラメータ）に関して無線セル中にブロードキャストされる制御チャネル（ＭＣＣＨ）上の情報をリッスンし、指示されたチャネルにその受信機をチューニングできる。
【０１０８】
ＭＢＭＳを通じてＩＭＳサービス・データをＵＥ １１４へ配信するためにポイント・ツー・ポイント 接続を使用すると決定した場合（本例示的実施形態では、このように仮定される）、無線アクセス・ネットワーク（例えば、ＲＮＣ １０６）は、この決定をＵＥ １１４へ通知する（６０８）。
【０１０９】
例えば、ＲＲＣメッセージ「ＭＢＭＳ修正サービス情報」がこの目的のために使用できる。情報要素「ＭＢＭＳが要求したＵＥ動作」は、「ＰＴＰ ＲＢを要求せよ」（ポイント・ツー・ポイント無線ベアラを要求せよ）に設定され得る。この設定は、通常では、ＭＢＭＳを通じてダウンリンクＩＭＳサービス・データを受信するための（ＩＭＳ無線ベアラに加えて第二の）個別無線ベアラを確立するようにＵＥ １１４をトリガする。
【０１１０】
本発明のこの実施形態によれば、要求のとおりポイント・ツー・ポイント接続を確立するのではなく、ＵＥ １１４は、ＩＭＳサービス用に初期に設定された無線ベアラを通じてＵＥ １１４へのダウンリンクＩＭＳサービス・データを転送するように要求する要求メッセージをＩＭＳ−ＡＳ （アプリケーション・サーバ１０１）へ送信する（６０９）。ＵＥ １１４からのこの要求に応答して、ＩＭＳ−ＡＳは、ＩＭＳサービス用にネットワーク中で確立済みのシステム・リソースを通じてダウンリンクＩＭＳサービス・データを転送する。
【０１１１】
上述した例において、本発明のさらに別の実施形態によれば、選択したＭＢＭＳ配信方式に関する通知（ステップ６０８参照）はＲＲＣメッセージ、すなわち、ＵＭＴＳのアクセス層プロトコルのメッセージであり得る。また、アプリケーション・サーバ１０１への要求（ステップ６０９参照）は新たに指定されたＳＩＰメッセージ、すなわち、非アクセス層プロトコルのメッセージであり得る。アクセス層によって非アクセス層メッセージの送信をトリガするために、無線ベアラのタイプ情報（すなわち、無線アクセス・ネットワークからの通知に指示されたＰＴＰまたはＰＴＭ）をもつ情報要素を含むサービス・プリミティブが非アクセス層へ渡される。この目的のために、アクセス層と非アクセス層の境界にあるＳＡＰサービス・アクセス・ポイント（例えば、ＵＭまたはＤＣ−ＳＡＰ）が使用され得る。
【０１１２】
別の選択肢は、トリガとしてアクセス層メッセージを使用し、次にアクセス層から非アクセス層アプリケーションへの別の個別メッセージを作成し、アプリケーション・サーバへの要求の送信（６０９）をトリガすることが可能である。 ＭＢＭＳが要求したＵＥ動作の情報要素によってトリガされる、このアクセス層と非アクセス層間の連携動作は、ＲＲＣまたはＰＭＭ接続を要求するようにＵＥをトリガする他の場合にも使用される。
【０１１３】
無線インタフェース上のポイント・ツー・ポイント接続を使用する際の現行の最新技術のソリューションと比較して、図６を参照して説明した動作によって得られる利点は、図２と図３を比較することにより理解できるであろう。図２は、無線アクセス・ネットワーク内でポイント・ツー・ポイント接続が使用される場合のＭＢＭＳ上のＩＭＳサービスの標準的な動作の場合の確立されたシステム・リソースを示す。図２の右側を見ればわかるように、ＩＭＳサービスのアップリンク及びダウンリンク制御シグナリング（例えば、ＳＩＰシグナリング）とＵＥ ２０６からのその他のサービス参加者へ中継されるべきアップリンクＩＭＳデータを運ぶＩＭＳリソースが、ＩＭＳアプリケーション・サーバ ２０１とＵＥ ２０６の間に最初に設定される。前に説明したように、ネットワーク中の必要なＩＭＳシステム・リソースを予約するＰＤＰコンテクストが、この目的のために設定され、無線インタフェース・リソースが予約、設定される（ＩＭＳ ＰＴＰ無線ベアラ）。ＩＭＳ ＰＴＰ無線ベアラはダウンリンクＩＭＳサービス・データを運ばないので、同データはＵＥ ２０６へのＭＢＭＳシステム・リソースへ提供される。これらのＭＢＭＳシステム・リソースは、ダウンリンク・データ用にのみ利用される、無線インタフェース上の第二の（双方向）ポイント・ツー・ポイント接続（ＭＢＭＳ ＰＴＰ無線ベアラ）の確立を要求する。
【０１１４】
図３においてわかるように、上記図６を参照して説明した本発明の実施形態によれば、ダウンリンクＩＭＳサービス・データはＩＭＳシステム・リソースを通じて転送されるので、第二のポイント・ツー・ポイント接続の確立、すなわち、ＭＢＭＳ ＰＴＰ無線ベアラの設定は回避できる。
【０１１５】
前述したように、ネットワーク中の下流の配信経路上に確立されたＭＢＭＳシステム・リソースは、別の実施形態によればソフト非アクティブ化され得る。図７は、本発明のこの実施形態による例示的なソフト非アクティブ化手順を示す。
【０１１６】
ＵＥ １１４からのＩＭＳシステム・リソースを通じたダウンリンクＩＭＳサービス・データ配信の要求またはその他のトリガ・メッセージの受信時（６０９）、アプリケーション・サーバ１０１（ＩＭＳ−ＡＳ）は、ＭＢＭＳリソースのソフト非アクティブ化始動を開始できる。これは、例えば、ＭＢＭＳ ＵＥコンテクストをスタンバイ状態にすべきＵＥを指示するＵＥソフト非アクティブ化要求をＢＭ−ＳＣ １０２へ送信することにより行なえる。これは、ＩＭＳ−ＡＳが、どのコンテクストをスタンバイ状態にすべきかを指定するためにＵＥの識別（例えば、ＵＥのＩＰアドレス）を含む、ＩＧＭＰ退去メッセージと同様の非アクセス層メッセージ（例えば、ホールドまたは休止）をＵＥの代わりにＧＧＳＮまたはＢＭ−ＳＣへ送信することを生起する場合もある。上記要求がＢＭ−ＳＣ １０２へ送信される場合、 次にＢＭ−ＳＣ １０２は該当する要求（ＵＥソフト非アクティブ化要求）を次の下流のエンティティであるＧＧＳＮ１０３へ転送し、ＧＧＳＮ１０３は該当するＭＢＭＳ ＵＥコンテクストをホールド状態に設定し、ソフト非アクティブ化要求（ＭＢＭＳマルチキャストサービスのソフト非アクティブ化要求）をＳＧＳＮ １０２へ転送する。この要求を受信したすべてのネットワーク・エンティティが、指示されたＵＥのＭＢＭＳ ＵＥコンテクストをスタンバイ状態に設定し、選択的に応答メッセージがＲＮＣ １０６からアプリケーション・サーバ１０１（ＩＭＳ−ＡＳ）まで上流へ返送され得る。
【０１１７】
代替的に、ダウンリンク用にＩＭＳリソースを使用するとともにソフト非アクティブ化プロセスをトリガする要求が、標準的なＭＢＭＳマルチキャストサービス停止手順と同様の、ＧＧＳＮ １０３への修正ＩＧＭＰ退去メッセージを用いてＵＥ １１４により要求されてもよい。このメッセージに応答して、ＧＧＳＮ １０３は次に上記図７を参照して説明した手順と同様のプロセスにおけるソフト非アクティブ化を実行し得る。これに加えて、ＧＧＳＮ １０３は、ＩＭＳベアラを通じたダウンリンク・データの受信を要求しているＵＥ １１４についてＩＭＳ−ＡＳに通知することもできる。
【０１１８】
本発明の別の実施形態は、ダウンリンク・マルチキャストサービスまたはブロードキャストサービスの配信方式をポイント・ツー・ポイントからポイント・ツー・マルチポイントへ切り替えることに関係する。無線アクセスは、ダウンリンク・マルチキャストサービスまたはブロードキャストサービスを通じてユーザへダウンリンク・マルチキャスト・データを配信するために、特定のユーザへのポイント・ツー・ポイント接続を使用し続けるか、または無線アクセス・ネットワーク内のポイント・ツー・マルチポイント接続へ切り替えるかを、時々またはトリガされたイベントに対して再評価できる。配信方式の切り替えが決定される場合、図５を参照して説明した手順と同様に、移動端末はその決定を通知される。移動端末は、次に、使用されるポイント・ツー・マルチポイント接続を獲得することができ、スタンバイ状態にあるネットワーク中のダウンリンク・マルチキャストサービスまたはブロードキャストサービス用のシステム・リソースを再アクティブ化するようにアプリケーション・サーバへ要求できる。その後、アプリケーション・サーバは、ダウンリンク・マルチキャストサービスまたはブロードキャストサービスを通じて、ダウンリンク・マルチキャストサービス・データを移動端末へ転送できる。
【０１１９】
本発明のさらに別の実施形態によるＵＭＴＳネットワーク内の配信方式の切り替えの例示的な実現を以下に図８について説明する。最初は、ＵＥ １１４は、ダウンリンクＩＭＳサービス・データを受信するためにＩＭＳポイント・ツー・ポイント接続を使用していて、ＭＢＭＳシステム・リソースはソフト非アクティブ化されている（すなわちＭＢＭＳ ＵＥコンテクストがスタンバイ状態にある）。ＲＮＣ １０６は、ＭＢＭＳを通じてダウンリンクＩＭＳサービス・データをＵＥ １１４へ提供するのにポイント・ツー・マルチポイント接続を使用すると決定し（８０１）、上記図６（ステップ６０８参照）を参照して説明したのと同様の手段により、その決定をＵＥ １１４へ通知する（８０２）。
【０１２０】
ＰＴＭ接続を獲得するよう指示する（例えば、ＲＲＣメッセージ中の「ＰＴＭ ＲＢ情報を獲得せよ」コマンドにより）、無線アクセス・ネットワークからの通知を受信後、ＵＥは、無線ベアラの特性（例えば、トランスポート・チャネル及び／または物理チャネルのパラメータ）に関して無線セル中にブロードキャストされる制御チャネル（ＭＣＣＨ）上の情報をリッスンし、指示されたチャネルにその受信機をチューニングする。
【０１２１】
ＭＢＭＳリソース（ＩＭＳリソースに代えて）を通じてダウンリンクＩＭＳサービス・データを転送するようにアプリケーション・サーバ１０１（ＩＭＳ−ＡＳ）に通知するために、ＵＥ １１４はアプリケーション・サーバ１０１（ＩＭＳ−ＡＳ）へ要求を送信する（８０３）。この要求に応答して、アプリケーション・サーバ１０１（ＩＭＳ−ＡＳ）は、ネットワーク中のＭＢＭＳシステム・リソースの再アクティブ化を開始する（ＭＢＭＳマルチキャストサービスの再アクティブ化手順８０５）。例えば、これは、ＭＢＭＳ ＵＥコンテクストをスタンバイからアクティブ状態へ遷移させるべきＵＥ １１４を指示する、新たに指定されたＭＢＭＳマルチキャストサービス再アクティブ化要求をアプリケーション・サーバ１０１（ＩＭＳ−ＡＳ）から下流へＲＮＣ １０６まで送信することにより行なえる。さらに、ＮＢＭＳ ＵＥコンテクストの再アクティブ化は、ＭＢＭＳシステム・リソースが再確立された時点でそれをアプリケーション・サーバ１０１（ＩＭＳ−ＡＳ）へ通知するための適当な応答メッセージにより確認される。
【０１２２】
ＵＥ １１４のセル内のその他のＵＥが現在進行しているＭＢＭＳサービスを通じてダウンリンクＩＭＳサービス・データをすでに受信している場合、再アクティブ化は、ＭＢＭＳ ＵＥコンテスト（競合）状態を変える影響だけを及ぼすが、その他のＵＥへは既存のポイント・ツー・マルチポイント接続を介して上記データはすでに提供されているので、無線セル内のポイント・ツー・マルチポイント接続を通じたダウンリンクＩＭＳサービス・データの現在進行中の配信には影響を及ぼすことはない。
【０１２３】
ただし、この場合には、ＭＢＭＳリソースの再アクティブ化を示す応答メッセージが、ＩＭＳリソースを介したダウンリンクＩＭＳサービス・データの転送をＭＢＭＳサービスを通じた配信に現時点で切り替え得ることをアプリケーション・サーバ１０１（ＩＭＳ−ＡＳ）に指示する。この場合、したがって、ＵＥ １１４は、そのセル内のＭＢＭＳサービスのポイント・ツー・マルチポイント接続へのアクセスをすでに得たものと仮定される。上記のＭＢＭＳマルチキャストサービスの再アクティブ化手順８０５には本来的にシグナリング遅延が生じるから、これはアプリケーション・サーバ１０１（ＩＭＳ−ＡＳ）による妥当な仮定であり得る。これにより、ＵＥ １１４のＭＢＭＳ ＵＥコンテクストが再びアクティブ状態になったことの確認を受信時に、アプリケーション・サーバ１０１（ＩＭＳ−ＡＳ）は、ＭＢＭＳサービスへ実際に切り替えてＵＥ １１４へダウンリンクＩＭＳサービス・データ提供するようにできる（８０７）。
【０１２４】
この実施形態の変形では、ＵＥ １１４は、ＭＢＭＳポイント・ツー・マルチポイント接続へ現在アクセスしたことをアプリケーション・サーバ１０１（ＩＭＳ−ＡＳ）へ通知するために、別のシグナリングメッセージをアプリケーション・サーバ１０１（ＩＭＳ−ＡＳ）へ送信できる（８０６）。したがって、この変形では、アプリケーション・サーバ１０１（ＩＭＳ−ＡＳ）は、ステップ８０６におけるＵＥ １１４からのシグナリング・メッセージとＵＥ １１４のＭＢＭＳ ＵＥコンテクストが再びアクティブ状態になったことの確認の両方を受信したとき、ＭＢＭＳリソースを通じてダウンリンクＩＭＳサービス・データを転送する（８０７）。
【０１２５】
本発明の別の実施形態は、ダウンリンク・マルチキャストサービスまたはブロードキャストサービスを通じたダウンリンク・マルチキャスト・データの配信用のポイント・ツー・マルチポイント接続からポイント・ツー・ポイント接続への切り替えに関係する。ここでは、マルチキャスト・リソースは無線インタフェース上でのみ使用され、ダウンリンク・マルチキャストサービスまたはブロードキャストサービスは選択的にソフト非アクティブ化される。この手順は、基本的に図４または図５に示した手順と同じである。ポイント・ツー・マルチポイント接続に代えてポイント・ツー・ポイント接続を現在使用すべきであるという通知を無線アクセス・ネットワークから受信すると、移動端末はアプリケーション・サーバへ要求を送信し（４０６）、これにより、アプリケーション・サーバは、マルチキャストサービス用に確立済みのポイント・ツー・ポイント接続を含むシステム・リソースを通じてダウンリンク・マルチキャスト・データを提供できる。これに加えて、移動端末は、さらに、ダウンリンク・マルチキャストサービスまたはブロードキャストサービス通じたダウンリンク・マルチキャスト・データの配信に今まで使用されていたポイント・ツー・マルチポイント接続用の無線インタフェース・リソースを解除することができる。さらに、ダウンリンク・マルチキャストサービスまたはブロードキャストサービス用の移動端末のシステム・リソースは、上述したとおり、ソフト非アクティブ化され得る。
【０１２６】
本発明の別の実施形態は、移動端末が両方のサービスを同時に受信できないので、一方または他方のサービスを通知に応じて選択する必要があるケースに関係する。したがって、マルチキャストサービス（例えば、ＩＭＳサービス）が着呼されているときに、移動端末はダウンリンク・マルチキャストサービスまたはブロードキャストサービス（例えば、ＭＢＭＳサービス）を同時に受信できない。セル状態により、ＰＴＭ接続へ進むようにネットワークによって移動端末は命令されることが考えられる。移動端末は、通知されたＰＴＭ接続（例えば、「ＰＴＭ ＲＢ情報を獲得せよ」に設定されたＭＢＭＳ ＵＥ動作のＲＲＣ情報要素によって指示される）を使用でき、ダウンリンク・マルチキャストサービスまたはブロードキャストサービス（例えば、 ＭＢＭＳサービス）を通じてデータを送信せずに、マルチキャストサービス（例えば、ＩＭＳサービス）に使用される既存のベアラを使用して送信するようにＩＭＳ−ＡＳに要求できる。
【０１２７】
移動端末がＰＴＰ接続を使用するように通知される場合（例えば、ＭＢＭＳ ＵＥ動作のＲＲＣ情報要素を「ＰＴＰ ＲＢ情報を獲得せよ」に設定することにより）、移動端末は、ダウンリンク・マルチキャストサービスまたはブロードキャストサービス（例えば、 ＭＢＭＳサービス）を通じてデータを送信せずに、マルチキャストサービス（例えば、ＩＭＳサービス）に設定されている既存のベアラを使用して送信するようにＩＭＳ−ＡＳに要求することもできる。
【０１２８】
この通知は、ＭＢＭＳサービス用に使用されるＲＲＣメッセージの形態をとることができる。ＲＲＣメッセージは、ＭＢＭＳサービスが設定されようとしていることをＵＥに指示するメッセージとしても機能する。したがって、両方のサービスを受信できないＵＥは、既存のサービスを通じてデータを受信することを要求する。
【０１２９】
本発明の別の実施形態は、ハードウェア及びソフトウェアを使用した、上述した様々な実施形態の実現に関係する。本発明の多様な実施形態は、コンピューティング・デバイス（プロセッサ）を使用して実現または実施され得ることが認識される。コンピューティング・デバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）またはその他のプログラム可能な論理回路等であり得る。本発明の多様な実施形態は、上記のデバイスの組合せによっても実施または実現され得る。
【０１３０】
さらに、本発明の多様な実施形態は、プロセッサで実行されるまたは直接ハードウェアに組み込むソフトウェア・モジュールを用いても実現可能である。また、ソフトウェア・モジュールとハードウェア実装の組合せも可能である。ソフトウェア・モジュールは、コンピュータで読取り可能などんな種類の記憶媒体3/4例えば、ＲＡＭ、ＥＰＲＯＭ、ＥＥＰＲＯＭ、フラッシュ・メモリ、レジスタ、ハード・ディスク、ＣＤ−ＲＯＭ、ＤＶＤ等3/4に記憶されてもよい。
【図面の簡単な説明】
【０１３１】
【図１】本発明の一実施形態による、無線アクセス・ネットワークの異なる無線セル内に何人かのユーザが存在する状態の拡張ＵＭＴＳネットワークを示す。
【図２】標準的なＭＢＭＳ上のＩＭＳサービスに対するシステム・リソースの利用と本発明の一実施形態によるＭＢＭＳ上のＩＭＳサービスに対するシステム・リソースの利用をそれぞれ示す。
【図３】標準的なＭＢＭＳ上のＩＭＳサービスに対するシステム・リソースの利用と本発明の一実施形態によるＭＢＭＳ上のＩＭＳサービスに対するシステム・リソースの利用をそれぞれ示す。
【図４】本発明の異なる実施形態による、マルチキャストサービス設定手順の二つの例示的なシグナリング図を示す。
【図５】本発明の異なる実施形態による、マルチキャストサービス設定手順の二つの例示的なシグナリング図を示す。
【図６】本発明の一実施形態による、ＭＢＭＳ上のＩＭＳサービスの設定のシグナリング図を示す。
【図７】本発明の例示的な実施形態による、ＵＥへのＭＢＭＳシステム・リソースのソフト非アクティブ化を示す。
【図８】本発明の例示的な実施形態による、ＭＢＭＳ配信方式をポイント・ツー・ポイントからポイント・ツー・マルチポイントへ切り替えた際のＭＢＭＳシステム・リソースの再アクティブ化を示す。
【図９】本発明の一実施形態による、ＭＢＭＳ ＵＥコンテクストの異なる状態を示す。
【図１】
2009531889.tif 000004
【図２】
2009531889.tif 000005
【図３】
2009531889.tif 000006
【図４】
2009531889.tif 000007
【図５】
2009531889.tif 000008
【図６】
2009531889.tif 000009
【図７】
2009531889.tif 000010
【図８】
2009531889.tif 000011
【図９】
2009531889.tif 000012
【国際調査報告】
2009531889.tif 000013
2009531889.tif 000014